(57)【要約】【課題】身飾品を、身体に穿孔することなく、へそ凹部に安定して固定できる手段を提供すること。【解決手段】本発明の身飾品固定剤１は、へそ凹部Ｎに導入された後に固化し、身飾品２をへそ凹部Ｎに固定可能な形態となる。【選択図】図１
2008154956.tif 000002
【特許請求の範囲】
【請求項１】
へそ凹部に導入された後に固化し、身飾品をへそ凹部に固定可能な形態となる身飾品固定剤。
【請求項２】
２液混合硬化型シリコーンゴム組成物からなる請求項１記載の身飾品固定剤。
【発明の詳細な説明】
【技術分野】
【０００１】
本発明は、身飾品（アクセサリー）を、身体に穿孔することなく、へそ凹部に固定することができる身飾品固定剤に関する。
【背景技術】
【０００２】
近年、へそピアス等のへそ用身飾品が一般化している。へそピアスは、例えば、図４に示すように、装飾が施された装飾部２１、ピアスホールＨに挿通する挿通部２２及び挿通部２２よりも太い抜け止め部２３を備えている。挿通部２２は湾曲線状となっており、抜け止め部２３は、ナット構造を有し、挿通部２２と着脱自在となっている。へそピアス２は、湾曲棒状の挿通部２２を、身体に穿孔されたピアスホールＨに挿通し、抜け止め部２３を抜け止めとして機能させて、身体に固定される。
しかし、身体にピアスホールＨを穿孔すると、ピアスホールＨ周りの化膿を防止するために、消毒等が必要であり、メンテナンスが煩雑である。人によってはピアスホールＨを穿孔すること自体に心理的抵抗を感じる場合もある。
【０００３】
下記特許文献１には、ピアスホールを穿孔することなく、へそ凹部に固定可能なへそ用身飾品が開示されている。特許文献１記載のへそ用身飾品は、形態や素材に工夫がなされた装飾部及び脚部を備えており、装飾部及び／又は脚部を利用してへそ凹部の一部を挟持することにより、へそ用身飾品をへそ凹部に固定している。
【特許文献１】特開２００４−２９８２７０号公報
【発明の開示】
【発明が解決しようとする課題】
【０００４】
しかし、特許文献１記載のへそ用身飾品においては、装飾部及び／又は脚部を利用してへそ凹部の一部を挟持することにより、へそ用身飾品をへそ凹部に固定しているため、へそ凹部の周辺に力が加わった場合や、へそ用身飾品に衝撃が加わった場合等において、へそ用身飾品がへそ凹部から簡単に外れることがあった。また、装飾部及び脚部の形態や素材とへそ凹部の形状や深さとの組み合わせによっては、最初からへそ凹部に安定して固定できない場合があった。このように、特許文献１記載のへそ用身飾品は、へそ凹部への固定安定性が十分ではない。
【０００５】
従って、本発明の目的は、身飾品を、身体に穿孔することなく、へそ凹部に安定して固定できる手段を提供することにある。
【課題を解決するための手段】
【０００６】
本発明は、へそ凹部に導入された後に固化し、身飾品をへそ凹部に固定可能な形態となる身飾品固定剤を提供することにより、上記目的を達成したものである。
【発明の効果】
【０００７】
本発明の身飾品固定剤によれば、身飾品を、身体に穿孔することなく、へそ凹部に安定して固定することができる。
【発明を実施するための最良の形態】
【０００８】
以下、本発明の身飾品固定剤について、その好ましい実施形態に基づき説明する。
本発明の身飾品固定剤は、使用前は液状ないし流動性のある組成物であるか、柔らかく変形可能な組成物であって、へそ凹部に導入された後に固化し、身飾品をへそ凹部に固定可能な形態となるものである。本発明の身飾品固定剤によってへそ凹部に固定される身飾品としては、従来のへそピアスに類似したへそ用身飾品（元々、へその装飾用に設計された身飾品）を転用することができるが、後述するように、本発明の身飾品固定剤によれば、身飾品を、身体に穿孔することなくへそ凹部に固定できるため、へそ凹部に固定可能な構造を有していない身飾品（アクセサリー類）をへそ凹部に固定することも可能である。
【０００９】
本発明の身飾品固定剤をへそ凹部に導入する方法としては、例えば、身飾品固定剤を直接へそ凹部に導入する方法、身飾品固定剤を身飾品に付着させてから、身飾品をへそ凹部の開口部に配置させる形で、身飾品に付着した身飾品固定剤をへそ凹部に導入する方法が挙げられる。
身飾品固定剤を直接へそ凹部に導入する際には、身飾品固定剤をへそ凹部に流し込んでもよく、綿棒等を用いて塗布してもよい。
本発明の身飾品固定剤は、使い勝手を考慮すると、使用前又は使用の際に、流動性のある組成物に調製されていることが好ましい。
【００１０】
例えば、本実施形態の身飾品固定剤１は、図１に示すように、へそ凹部Ｎに流し込み可能な流動性組成物からなり、へそ凹部Ｎに流し込まれた後、一定時間経過後にゲル状又はゴム状に固化する。そして、本実施形態の身飾品固定剤１は、へそ凹部Ｎ内で固化した後、身飾品２をへそ凹部Ｎに固定可能な形態となる。
【００１１】
本実施形態の身飾品固定剤は、例えば、第１剤がジオルガノポリシロキサンを主剤とする反応性シリコーンベースからなり、第２剤が架橋剤を含有する硬化剤ベースからなる２液混合硬化型シリコーンゴム組成物からなる。かかる２剤型組成物は、更に、硬化触媒を第１剤又は第２剤に含有していてもよい。
前記２液混合硬化型シリコーンゴム組成物の第１剤におけるジオルガノポリシロキサンとしては、分子内に２個以上の水酸基を有するヒドロキシル化ジオルガノポリシロキサン又は分子内に２個以上のビニル基を有するビニル化ジオルガノポリシロキサンが用いられ、何れを使用するかに応じて架橋剤、硬化触媒も選定される。
【００１２】
前記ヒドロキシル化ジオルガノポリシロキサンとしては、通常のものが用いられるが、特に、両末端に水酸基を有するヒドロキシル化ジメチルポリシロキサンが速やかに硬化し、皮膚刺激性がないため、好ましい。
ヒドロキシル化ジオルガノポリシロキサンをラバーベースの主剤として用いた場合の架橋剤としては、分子内に２個以上のアルコキシ基を有するアルコキシシラン、例えば、メチル−トリメトキシシラン、テトラエチルシリケートやテトラプロピルシリケート等が好ましい。また、この場合の硬化触媒としてはカルボン酸の金属塩、アミン化合物又はアミン塩酸塩が用いられ、例えばジブチルスズジラウレート、ジブチルスズアセテート、ジブチルスズジオクタノエート、ジオクチルスズジラウレート等が好ましい。
【００１３】
また、前記ビニル化ジオルガノポリシロキサンとしては、通常のものが用いられるが、特に、両末端にビニル基を有するビニル化ジメチルポリシロキサンが速やかに硬化し、皮膚刺激性がないため、好ましい。
ビニル化ジオルガノポリシロキサンをラバーベースの主剤として用いた場合の架橋剤としては、分子内に２個以上のＳｉ−Ｈ基を有する水素化ジオルガノポリシロキサンが用いられる。また、この場合の硬化触媒としては、白金化合物が用いられ、例えば塩化白金酸、白金黒、白金アスベスト、白金シリカゲル、白金活性炭、塩化白金酸カリウム等が用いられる。
【００１４】
本実施形態において、２液混合硬化型シリコーンゴム組成物における配合割合は、前記第１剤と前記第２剤とを混合した場合、前記ジオルガノポリシロキサン１００重量部に対し、前記架橋剤０．１〜３０重量部、前記硬化触媒０．００１〜１０重量部となる割合が好ましい。配合割合は、各成分の種類、用途に応じて適宜選択される。
【００１５】
本発明の身飾品固定剤としては、例えば、２液混合硬化型シリコーンゴム組成物、アルギン酸ナトリウムとカルシウム化合物との組み合わせ等が挙げられる。中でも、２液混合硬化型シリコーンゴム組成物を用いるのが好ましく、特に、第１剤がジオルガノポリシロキサンを主剤とする反応性シリコーンベースからなり、第２剤が架橋剤及び硬化触媒を含有する硬化剤ベースからなるものが好ましい。更に、他の２液混合硬化型シリコーンゴム組成物でもよく、第１剤がジオルガノポリシロキサンを主剤とする反応性シリコーンベース及び硬化触媒からなり、第２剤が架橋剤である硬化剤ベースからなるものが挙げられる。
【００１６】
本発明の身飾品固定剤は、その用途から身体に無害のものが好ましい。また、へそ凹部に導入直前における粘度が５，０００〜１０，０００ｍＰａ・ｓであるものが好ましい
【００１７】
本実施形態の身飾品固定剤は、使用直前に混合調製した硬化性組成物を、十分な流動性を有する間にへそ凹部に導入した後、一定時間経過後に固化させるものであるが、その固化時間（組成物が固化して、身飾品を固定可能となるまでの時間）は、作業上の点から、０．５〜１０分、特に３〜５分であることが好ましい。
【００１８】
本発明の身飾品固定剤は、更に、殺菌剤、潤滑剤、香料、界面活性剤、多価アルコール、繊維物質、粉末、油剤、着色剤等の成分の何れかを単独で又は組み合わせて加えることにより、更に使用性の向上等を図ることができる。
【００１９】
殺菌剤としては、トリクロサン、銀ゼオライト（シナネン）等が挙げられ、潤滑剤としては、プロピレングリコール、ポリエチレングリコール等が挙げられ、香料としては、ティートリー、グレープフルーツ等の精油が挙げられる。
へそ凹部に導入した際に冷感を与えるために、身飾品固定剤には、メントールを配合してもよく、また、温感を与えるために、唐辛子エキスを配合してもよい。
【００２０】
身飾品固定剤の色には制限はないが、固化後の身飾品固定剤を目立たなくなることを重視するならば、身飾品固定剤の色は透明又は肌色が好ましい。一方、固化後の身飾品固定剤にも装飾性を付与することを重視するならば、身飾品固定剤に、例えば光沢を持たせるパール化剤を配合させればよい。
【００２１】
へそ用身飾品の形態として従来のへそピアスに類似したものが挙げられる。例えば、図１に示すように、身飾品２は、装飾が施された装飾部２１、身飾品固定剤１によりへそ凹部Ｎに固定される挿通部２２及び挿通部よりも太い抜け止め部２３を備えている。挿通部２２は、例えば、湾曲線状となっている。抜け止め部２３は、例えばナット構造を有し、挿通部２２と着脱自在となっている。ただし、本発明の身飾品固定剤によれば、挿通部２２のみで固定させる必要はなく、また抜け止め部２３は、挿通部２２と着脱自在となっている必要はない。
【００２２】
本実施形態の身飾品固定剤を用いてへそ用の身飾品をへそ凹部Ｎに固定する方法について説明する。
第１の方法においては、まず、身飾品固定剤１をへそ凹部Ｎに流し込む。この際、身飾品２の固定性を向上させるために、身飾品固定剤１をへそ凹部Ｎの奥まで十分に行き渡らせることが好ましい。また、身飾品固定剤１をへそ凹部Ｎの開口部から十分に盛り上がるまで流し込むことが好ましい。
【００２３】
次に、身飾品２の挿通部２２を未固化の身飾品固定剤１に押し込んで潜り込ませる。その後、挿通部２２が十分に覆われるように身飾品固定剤１を更に流し込んでもよい。
その状態で、所定時間経過させて、身飾品固定剤１を固化させる。固化作業中においてはテープ等を利用して身飾品２の装飾部２１や抜け止め部２３を仮止めしてもよい。
身飾品固定剤１は固化すると、身飾品２をへそ凹部Ｎに固定可能な形態となるため、身飾品２は、へそ凹部Ｎに安定して固定される。
第１の方法による固定態様によれば、図４に示す従来の固定態様と同様に、へそ用の身飾品２がへそ凹部に固定される。
【００２４】
このように、本発明の身飾品固定剤によれば、へそ用の身飾品を、身体に穿孔することなく、へそ凹部Ｎに安定して固定することができる。また、へそ凹部の周辺に力が加わった場合や、身飾品に衝撃が加わった場合等においても、身飾品がへそ凹部から外れにくい。更に、身飾品の形態や素材とへそ凹部の形状や深さとの組み合わせに依存せず、へそ凹部に安定して固定することができる。
【００２５】
以下に他の方法を説明するが、他の方法の説明において特に説明しない点については、第１の方法の説明が適宜適用され、他の方法によれば、第１の方法と同様の効果が奏される。
第２の方法は、図２に示すように、第１の方法に比して、身飾品２の抜け止め部２３をへそ凹部Ｎの開口部に位置させて、抜け止め部２３及び挿通部２２を身飾品固定剤１で固定する点が主として異なる。
第２の方法による固定態様によれば、抜け止め部２３がへそ凹部Ｎの開口部に位置しており、図４に示す従来の固定態様とは異なる配置で、へそ用の身飾品２をへそ凹部Ｎに固定することができる。
【００２６】
第３の方法は、図３に示すように、ボタン形状（耳ピアスに類似した形状）の身飾品３をへそ凹部Ｎに固定する方法である。
まず、身飾品固定剤１をへそ凹部Ｎに流し込む。この際、身飾品３の固定性を向上させるために、身飾品固定剤１をへそ凹部Ｎの奥まで十分に行き渡らせることが好ましい。
【００２７】
次に、身飾品３の抜け止め部２３及び連結部３２を身飾品固定剤１に押し込んで潜り込ませる。
その状態で、所定時間経過させて、身飾品固定剤１を固化させる。固化作業中においてはテープ等を利用して身飾品３の装飾部３１を仮止めしてもよい。
第３の方法によれば、通常へそ凹部に固定できない、耳ピアスに類似した形状の身飾品３を、へそ凹部Ｎに容易に固定することができる。
【００２８】
尚、前記第１〜第３の方法においては、身飾品固定剤１をへそ凹部Ｎに流し込んで導入しているが、身飾品固定剤１は、綿棒等を用いてへそ凹部Ｎに塗布して導入することができる。
【００２９】
本発明の身飾品固定剤は、前記実施形態に制限されることなく、本発明の趣旨を逸脱しない限り、適宜変更が可能である。
本発明の身飾品固定剤は、前述の方法以外の方法で、へそ凹部に導入し、固化させることができる。例えば、柔らかい粘土状の身飾品固定剤１を付着させた身飾品２（又は３）をへそ凹部に挿入することで、身飾品固定剤１をへそ凹部Ｎに導入し、所定時間経過させて、身飾品固定剤１を固化させることができる。
【図面の簡単な説明】
【００３０】
【図１】図１は、本発明の身飾品固定剤を用いて第１の方法によりへそピアス形状の身飾品をへそ凹部に固定した状態を示す断面図である。
【図２】図２は、本発明の身飾品固定剤を用いて第２の方法によりへそピアス形状の身飾品をへそ凹部に固定した状態を示す断面図である。
【図３】図３は、本発明の身飾品固定剤を用いて第３の方法によりボタン形状の身飾品をへそ凹部に固定した状態を示す断面図である。
【図４】図４は、従来の方法によりへそピアスをへそ凹部に固定した状態を示す断面図である。
【符号の説明】
【００３１】
１  身飾品固定剤
２  身飾品（へそピアス）
３  身飾品
２１，３１  装飾部
２２  挿通部
３２  連結部
２３，３３  抜け止め部
Ｎ  へそ凹部
【図１】
2008154956.tif 000003
【図２】
2008154956.tif 000004
【図３】
2008154956.tif 000005
【図４】
2008154956.tif 000006